(57)【要約】【課題】ユーザが指をタッチパネルの法線方向に移動させることなく電子機器に所定の動作を実行させることが可能な電子機器を提供する。【解決手段】電源ボタン１２１０は、導電性の部材で構成され、第１の位置とスイッチをオンとする第２の位置との間を、タッチパネル１０９２の表面に沿って移動可能である。押しボタンスイッチ１２０は、ユーザ操作に基づき電源ボタン１２１０が第２の位置に移動した場合に、領域９２２の静電容量が閾値以上変化するように配置されている。電子機器である携帯端末１は、領域９２２の静電容量の変化量を検出する。携帯端末１は、電源ボタン１２１０に対するユーザ操作によってスイッチ１２２０がオン状態となり、当該ユーザ操作が開始されてからの領域９２２の静電容量の変化量が閾値以上であることを条件に、予め定められた処理であるオペレーティングシステムの起動を実行する。【選択図】図４
2014174667.tif 000002
【特許請求の範囲】
【請求項１】
静電容量方式のタッチパネルと、予め定められた処理を実行させるための押しボタンスイッチとを備えた電子機器であって、
前記押しボタンスイッチは、スイッチと、操作ボタンとを含み、
前記操作ボタンは、導電性の部材で構成されるとともに、予め定められた第１の位置と前記スイッチをオン状態とする第２の位置との間を、前記タッチパネルの表面に沿って移動可能であり、
前記押しボタンスイッチは、前記操作ボタンに対するユーザ操作に基づき当該操作ボタンが前記第１の位置から前記第２の位置に移動した場合に、前記タッチパネルにおける予め定められた領域の静電容量が予め定められた値以上変化するように配置され、
前記予め定められた領域の静電容量の変化量を検出する第１の検出手段と、
前記操作ボタンに対するユーザ操作によって前記スイッチがオン状態となり、かつ当該ユーザ操作が開始されてからの前記予め定められた領域の静電容量の変化量が前記予め定められた値以上であることを条件に、前記予め定められた処理を実行する実行手段とを備える、電子機器。
【請求項２】
前記操作ボタンは、前記電子機器の内部において、前記タッチパネルと対向する箇所に突起部を有しており、
前記電子機器は、前記操作ボタンの移動に伴う前記突起部の移動によって、前記領域の静電容量を変化させ、
前記予め定められた領域は、前記操作ボタンが前記第２の位置にあるときの前記突起部と対向する領域である、請求項１に記載の電子機器。
【請求項３】
前記タッチパネルに対する前記突起部の位置を検出する第２の検出手段をさらに備え、
前記実行手段は、前記検出された位置が、前記操作ボタンが前記第２の位置にあるときの前記タッチパネルに対する前記突起部の位置とならない限り、前記予め定められた処理を実行しない、請求項２に記載の電子機器。
【請求項４】
前記実行手段は、前記ユーザ操作が開始されてからの前記タッチパネルに対する前記突起部の位置の変化量が、予め定められた範囲内の値とならない限り、前記予め定められた処理を実行しない、請求項３に記載の電子機器。
【請求項５】
前記操作ボタンは、電源ボタンであって、
前記予め定められた処理は、前記電子機器のオペレーティングシステムの起動である、請求項１から４のいずれか１項に記載の電子機器。
【発明の詳細な説明】
【技術分野】
【０００１】
本発明は、タッチパネルを備えた電子機器に関する。
【背景技術】
【０００２】
従来、静電容量方式のタッチパネルを備えた電子機器が知られている。
特許文献１には、静電容量方式のタッチパネルを備えた電子機器として、操作部と、スイッチ部と、センサ部と、ケースと、制御部とを備えた電子機器が開示されている。操作部は、外部の物体により押圧される。スイッチ部は、操作部により押圧されて、電気的な導通状態および非導通状態の切り替えを行なう。センサ部は、スイッチ部に積層配置され、外部の物体が近接した面積を示す情報を出力する。ケースは、操作部、スイッチ部、およびセンサ部を収納する。制御部は、スイッチ部における導通状態への切り替えを検出するとともに、検出の結果と面積を示す情報とに基づいて、スイッチ部が正常に押圧されたか否かを判定する。
【０００３】
特許文献２には、静電容量方式のタッチパネルを備えた電子機器として、スイッチ装置が開示されている。スイッチ装置は、押しボタンと、静電容量センサ部と、メカニカルスイッチ部とを備える。静電容量センサ部は、押しボタンを押下操作している対象と検出電極との間に形成する静電容量によってオン・オフし、押しボタンを押下操作している対象が人間の場合に出力がオン状態となる。メカニカルスイッチ部は、押しボタンの押下操作によってスイッチ接点がオン状態となる。スイッチ装置は、静電容量センサ部とメカニカルスイッチ部が共にオン状態となった場合にのみ、外部にオン信号を出力する。
【先行技術文献】
【特許文献】
【０００４】
【特許文献１】特開２０１２−１９０６９４号公報
【特許文献２】特開２００７−１１５４４０号公報
【発明の概要】
【発明が解決しようとする課題】
【０００５】
しかしながら、特許文献１，２においては、電子機器に所定の動作を行なわせるためには、ユーザが指をタッチパネルの表面に接触または近接させる必要がある。つまり、ユーザは、指をタッチパネルの法線方向に移動させる必要がある。
【０００６】
このため、たとえば、ディスプレイ上にタッチパネルを積層したタッチスクリーンを備える電子機器に対して、特許文献１，２の技術を適用する場合、スイッチを設ける位置がディスプレイの表示面側になってしまう。仮に、スイッチを設ける位置を表示面とは別の面（たとえば、側面）にする場合には、タッチスクリーンとは別に、タッチパネルを備える必要がある。
【０００７】
本願発明は、上記の問題点に鑑みなされたものであって、ユーザが指をタッチパネルの法線方向に移動させることなく電子機器に所定の動作を実行させることが可能な電子機器、制御方法、およびプログラムを提供することにある。
【課題を解決するための手段】
【０００８】
本発明のある局面に従うと、電子機器は、静電容量方式のタッチパネルと、予め定められた処理を実行させるための押しボタンスイッチとを備える。押しボタンスイッチは、スイッチと、操作ボタンとを含む。操作ボタンは、導電性の部材で構成されるとともに、予め定められた第１の位置とスイッチをオン状態とする第２の位置との間を、タッチパネルの表面に沿って移動可能である。押しボタンスイッチは、操作ボタンに対するユーザ操作に基づき当該操作ボタンが第１の位置から第２の位置に移動した場合に、タッチパネルにおける予め定められた領域の静電容量が予め定められた値以上変化するように配置されている。電子機器は、予め定められた領域の静電容量の変化量を検出する第１の検出手段と、操作ボタンに対するユーザ操作によってスイッチがオン状態となり、かつ当該ユーザ操作が開始されてからの予め定められた領域の静電容量の変化量が予め定められた値以上であることを条件に、予め定められた処理を実行する実行手段とを備える。
【０００９】
好ましくは、操作ボタンは、電子機器の内部において、タッチパネルと対向する箇所に突起部を有している。電子機器は、操作ボタンの移動に伴う突起部の移動によって、領域の静電容量を変化させる。予め定められた領域は、操作ボタンが第２の位置にあるときの突起部と対向する領域である。
【００１０】
好ましくは、電子機器は、タッチパネルに対する突起部の位置を検出する第２の検出手段をさらに備える。実行手段は、検出された位置が、操作ボタンが第２の位置にあるときのタッチパネルに対する突起部の位置とならない限り、予め定められた処理を実行しない。
【００１１】
好ましくは、実行手段は、ユーザ操作が開始されてからのタッチパネルに対する突起部の位置の変化量が、予め定められた範囲内の値とならない限り、予め定められた処理を実行しない。
【００１２】
好ましくは、操作ボタンは、電源ボタンである。予め定められた処理は、電子機器のオペレーティングシステムの起動である。
【００１３】
本発明の他の局面に従うと、制御方法は、静電容量方式のタッチパネルと、予め定められた処理を実行させるための押しボタンスイッチとを備えた電子機器において実行される制御方法である。押しボタンスイッチは、スイッチと、操作ボタンとを含む。操作ボタンは、導電性の部材で構成されるとともに、予め定められた第１の位置とスイッチをオン状態とする第２の位置との間を、タッチパネルの表面に沿って移動可能である。押しボタンスイッチは、操作ボタンに対するユーザ操作に基づき当該操作ボタンが第１の位置から第２の位置に移動した場合に、タッチパネルにおける予め定められた領域の静電容量が予め定められた値以上変化するように配置されている。制御方法は、予め定められた領域の静電容量の変化量を検出するステップと、操作ボタンに対するユーザ操作によってスイッチがオン状態となり、かつ当該ユーザ操作が開始されてからの予め定められた領域の静電容量の変化量が予め定められた値以上であることを条件に、予め定められた処理を実行するステップとを備える。
【００１４】
本発明のさらに他の局面に従うと、プログラムは、静電容量方式のタッチパネルと、予め定められた処理を実行させるための押しボタンスイッチとを備えた電子機器を制御するために用いられる。押しボタンスイッチは、スイッチと、操作ボタンとを含む。操作ボタンは、導電性の部材で構成されるとともに、予め定められた第１の位置とスイッチをオン状態とする第２の位置との間を、タッチパネルの表面に沿って移動可能である。押しボタンスイッチは、操作ボタンに対するユーザ操作に基づき当該操作ボタンが第１の位置から第２の位置に移動した場合に、タッチパネルにおける予め定められた領域の静電容量が予め定められた値以上変化するように配置されている。プログラムは、予め定められた領域の静電容量の変化量を検出するステップと、操作ボタンに対するユーザ操作によってスイッチがオン状態となり、かつ当該ユーザ操作が開始されてからの予め定められた領域の静電容量の変化量が予め定められた値以上であることを条件に、予め定められた処理を実行するステップとを、電子機器のプロセッサに実行させる。
【発明の効果】
【００１５】
上記の発明によれば、ユーザが指をタッチパネルの法線方向に移動させることなく電子機器に所定の動作を実行させることが可能となる。
【図面の簡単な説明】
【００１６】
【図１】携帯端末の外観を説明するための図である。
【図２】携帯端末のハードウェア構成を表した図である。
【図３】ユーザが指で押しボタンスイッチに触れた直後の状態を表した図である。
【図４】ユーザが指で押しボタンスイッチを押し込んだ状態を表した図である。
【図５】携帯端末の機能的構成を説明するための機能ブロック図である。
【図６】携帯端末における処理の流れを説明するためのフローチャートである。
【発明を実施するための形態】
【００１７】
以下、図面を参照しつつ、本発明の実施の形態に係る携帯端末（電子機器）について説明する。以下の説明では、同一の部品には同一の符号を付してある。それらの名称および機能も同じである。したがって、それらについての詳細な説明は繰り返さない。
【００１８】
携帯端末は、たとえば、スマートフォン等の携帯型電話機、タブレット型コンピュータ、電子書籍リーダ、ＰＤＡ、電子辞書である。以下では、一例として、携帯端末がスマートフォンである場合を例に挙げて説明する。
【００１９】
＜Ａ．外観＞
図１は、携帯端末１の外観を説明するための図である。図１を参照して、携帯端末１は、筐体１０の表側面Ｓａに、タッチスクリーン１０９を備えている。また、携帯端末１は、筐体１０の側面Ｓｂに、押しボタンスイッチ１２０を備えている。さらに、携帯端末１は、筐体１０の側面Ｓｃに、押しボタンスイッチ１１８，１１９を備えている。
【００２０】
タッチスクリーン１０９は、ディスプレイと、静電容量方式のタッチパネルとで構成される。
【００２１】
押しボタンスイッチ１２０は、ユーザ操作に基づき、携帯端末１に予め格納されているオペレーティングシステム（システムプログラム）を起動あるいは停止させるために設けられている。
【００２２】
押しボタンスイッチ１１８は、ユーザ操作に基づき、スピーカまたはイヤホンから出力させる音の音量を増加させるために設けられている。押しボタンスイッチ１１９は、ユーザ操作に基づき、音量を減少させるために設けられている。
【００２３】
なお、携帯端末１は、押しボタンスイッチ１１８，１１９，１２０以外の押しボタンスイッチを備える構成であってもよい。以下では、説明の便宜上、押しボタンスイッチ１２０に着目して説明をする。
【００２４】
＜Ｂ．ハードウェア構成＞
図２は、携帯端末１のハードウェア構成を表した図である。図２を参照して、携帯端末１は、アンテナ１０１と、ＲＦ（Radio Frequency）回路１０２と、ベースバンド回路１０３と、ＧＰＳ受信機１０４と、プログラムを実行するＣＰＵ１０５と、ＲＯＭ（Read Only Memory）１０６と、ＲＡＭ（Random Access Memory）１０７と、ＮＡＮＤ型のフラッシュメモリ１０８と、タッチスクリーン１０９と、カメラ１１０と、マイク１１１と、スピーカ１１２と、通信ＩＦ（Interface）１１４と、ＩＣ（Integrated Circuit）カードリーダライタ１１５と、電源ユニット１１６と、タイマ１１７と、押しボタンスイッチ１１８と、押しボタンスイッチ１１９と、押しボタンスイッチ１２０と、駆動／充電用回路２５と、バイブレータ２６とを備える。また、タッチスクリーン１０９は、ディスプレイ１０９１と、ディスプレイ１０９１に重畳して配置されたタッチパネルとを含んで構成される。
【００２５】
ＧＰＳ受信機１０４は、アンテナ１０４１と、ＲＦ回路１０４２と、ベースバンド回路１０４３とを含む。ＧＰＳ受信機１０４は、アンテナ１０４１を用いてＧＰＳ衛星の信号を受信する。さらに、ＧＰＳ受信機１０４は、ＲＦ回路１０４２およびベースバンド回路１０４３における処理の結果（つまり、現在地情報）を、ＣＰＵ１０５に出力する。なお、現在地情報は、緯度、経度、および高度を示した情報である。
【００２６】
アンテナ１０１、ＲＦ回路１０２、およびベースバンド回路１０３は、基地局を介した、他の移動体端末、固定電話、およびＰＣ（Personal Computer）との間における無線通
信に用いられる。詳しくは、アンテナ１０１、ＲＦ回路１０２、およびベースバンド回路１０３は、携帯端末１が携帯電話網を用いた通信を行なうために用いられる。
【００２７】
ＲＯＭ１０６は、不揮発性の半導体メモリである。ＲＯＭ１０６は、携帯端末１のブートプログラムが予め格納されている。
【００２８】
フラッシュメモリ１０８は、不揮発性の半導体メモリである。フラッシュメモリ１０８は、携帯端末１のオペレーティングシステム、携帯端末１を制御するための各種のプログラム、並びに、携帯端末１が生成したデータ、携帯端末１の外部装置から取得したデータ等の各種データを揮発的に格納する。
【００２９】
電源ユニット１１６は、充電式電池２３と、外部ＤＣ入力端子２４とを含む。タイマ１１７は、時間を計時する。
【００３０】
各構成要素１０３〜１０９，１１１，１１２，１１４〜１２０，２５は、相互にデータバスによって接続されている。ＩＣカードリーダライタ１１５には、メモリカード１４５１が装着される。
【００３１】
携帯端末１における処理は、各ハードウェアおよびＣＰＵ１０５により実行されるソフトウェアによって実現される。このようなソフトウェアは、フラッシュメモリ１０８に予め記憶されている場合がある。また、ソフトウェアは、メモリカード１４５１その他の記憶媒体に格納されて、プログラムプロダクトとして流通している場合もある。あるいは、ソフトウェアは、いわゆるインターネットに接続されている情報提供事業者によってダウンロード可能なプログラムプロダクトとして提供される場合もある。このようなソフトウェアは、ＩＣカードリーダライタ１１５その他の読取装置によりその記憶媒体から読み取られて、あるいは、アンテナ１０１、ＲＦ回路１０２、およびベースバンド回路１０３、または通信ＩＦ１１４を介してダウンロードされた後、フラッシュメモリ１０８に一旦格納される。そのソフトウェアは、ＣＰＵ１０５によってフラッシュメモリ１０８から読み出され、さらにフラッシュメモリ１０８に実行可能なプログラムの形式で格納される。ＣＰＵ１０５は、そのプログラムを実行する。
【００３２】
同図に示される携帯端末１を構成する各構成要素は、一般的なものである。したがって、本発明の本質的な部分は、フラッシュメモリ１０８、メモリカード１４５１その他の記憶媒体に格納されたソフトウェア、あるいはネットワークを介してダウンロード可能なソフトウェアであるともいえる。なお、携帯端末１の各ハードウェアの動作は周知であるので、詳細な説明は繰り返さない。
【００３３】
なお、記録媒体としては、ＤＶＤ-ＲＯＭ、ＣＤ−ＲＯＭ、ＦＤ、ハードディスクに限
られず、磁気テープ、カセットテープ、光ディスク、光カード、マスクＲＯＭ、ＥＰＲＯＭ、ＥＥＰＲＯＭ、フラッシュＲＯＭなどの半導体メモリ等の固定的にプログラムを担持する媒体でもよい。また、記録媒体は、当該プログラム等をコンピュータが読取可能な一時的でない媒体である。また、ここでいうプログラムとは、ＣＰＵにより直接実行可能なプログラムだけでなく、ソースプログラム形式のプログラム、圧縮処理されたプログラム、暗号化されたプログラム等を含む。
【００３４】
＜Ｃ．動作説明＞
次に、押しボタンスイッチ１２０に対するユーザ操作に基づく携帯端末１の処理について、図３および図４に基づき説明する。具体的には、携帯端末１のユーザがオペレーティングシステムを起動あるいは停止させるために押しボタンスイッチ１２０を操作した場合における、携帯端末１の処理を説明する。
【００３５】
図３は、ユーザが指７００で押しボタンスイッチ１２０に触れた直後の状態を表した図である。図３を参照して、図３の状態Ａは、携帯端末１を正面から見た状態を表している。図３の状態Ｂは、図３の状態ＡにおけるIII−III線矢視断面図である。なお、以下では、説明の便宜上、タッチスクリーン１０９における１つの隅（図３における右上の隅，図１における左上隅）の位置を、Ｘ軸の座標とＹ軸の座標とを用いて、位置Ｐ（ｘ０，ｙ０）とする。
【００３６】
タッチスクリーン１０９は、携帯端末１の内部から外部に向かって、ディスプレイ１０９１と、タッチパネル１０９２とを、この順に備える。タッチパネル１０９２は、ディスプレイ１０９１よりも大きな形状であっても良い。携帯端末１は、タッチパネル１０９２を覆うように、フロントカバー１１３を備える。
【００３７】
押しボタンスイッチ１２０は、ユーザ操作を受け付ける操作ボタンである電源ボタン１２１０と、スイッチ１２２０とを含む。スイッチ１２２０は、電気的な接点を有する本体部１２２１と、電源ボタン１２１０に接続されるとともに本体部１２２１の接点をオン（導通）またはオフ（非導通）させる可動部１２２２とを有する。本体部１２２１は、基板１２２上に載置されている。
【００３８】
電源ボタン１２１０は、導電性の部材で構成される。電源ボタン１２１０は、携帯端末１の内部において、タッチパネル１０９２およびディスプレイ１０９１と対向する箇所に突起部１２１１を有する。電源ボタン１２１０は、予め定められた第１の位置（図３の電源ボタン１２１０の位置）とスイッチ１２２０をオン状態とする第２の位置（図４の電源ボタン１２１０の位置）との間を、タッチパネル１０９２の表面に沿って移動可能に構成されている。具体的には、電源ボタン１２１０は、ユーザ操作によって、第１の位置と第２の位置との間で、タッチパネル１０９２に対して平行に移動する。詳しくは、電源ボタン１２１０は、スイッチ１２２０の可動部１２２２とともに、Ｙ軸方向に沿って、スイッチ１２２０の本体部１２２１へ近づく向きおよび本体部１２２１から離れる向きに、移動可能に構成されている。
【００３９】
なお、図３に示した電源ボタン１２１０の位置（第１の位置）が、ユーザ操作を受け付けていないときのデフォルト位置である。この状態の場合、電源ボタン１２１０は、筐体１０から距離Ｌ１だけ突出している。また、この状態における本体部１２２１と可動部１２２２との間の距離をＬ０とする。さらに、この状態における突起部１２１１の位置（Ｘ座標およびＹ座標）を、位置Ｑ（ｘ１，ｙ１）とする。
【００４０】
電源ボタン１２１０が導電性の部材で構成されているため、ユーザが指７００で電源ボタン１２１０に接触すると、タッチパネル１０９２に対向している突起部１２１１により、タッチパネル１０９２における予め定められた領域９２１の静電容量が変化する。また、領域９２１からＹ軸の正の向きに距離Ｌ１だけ離れた領域９２２の静電容量の変化は、無いか、あるいは、有ったとしても領域９２１の変化に比べて微少である。なお、領域９２２は、電源ボタン１２１０が図４に示す第２の位置にあるときの突起部１２１１と対向する領域である。
【００４１】
携帯端末１では、指７００による電源ボタン１２１０への接触によって領域９２１の静電容量が変化したことに基づき、ブートプログラムが動作する。つまり、携帯端末１は、領域９２１の静電容量の変化をトリガとして、ブート処理（オペレーティングシステムを開始するまでの処理）を開始する。
【００４２】
図４は、ユーザが指７００で押しボタンスイッチ１２０を押し込んだ状態を表した図である。具体的に、図４は、電源ボタン１２１０が、スイッチ１２２０をオン状態とする第２の位置に到達したときの状態を表した図である。図４を参照して、図４の状態Ａは、携帯端末１を正面から見た状態を表している。図４の状態Ｂは、図４の状態ＡにおけるIV−IV線矢視断面図である。
【００４３】
電源ボタン１２１０が導電性の部材で構成されているため、携帯端末１は、電源ボタン１２１０の移動に伴う突起部１２１１の移動によって、領域９２２の静電容量を変化させる。また、電源ボタン１２１０が図４に示した位置（第２の位置）に到達すると、突起部１２１１により、タッチパネル１０９２における領域９２２の静電容量が、電源ボタン１２１０が図３に示した第１の位置にあった場合を基準にして、予め定められた閾値Ｃｔｈ（Ｆ）以上変化する。なお、この場合、領域９２１の静電容量は、指７００が電源ボタン１２１０に接触していない状態の値、または指７００が電源ボタン１２１０に接触していない状態の値に近い値となる。
【００４４】
また、電源ボタン１２１０が図４に示した位置（第２の位置）に到達すると、スイッチ１２２０がオン状態となる。つまり、スイッチ１２２０の本体部１２２１における接点がオン状態となる。なお、この状態における突起部１２１１の位置（Ｘ座標およびＹ座標）を、位置Ｒ（ｘ１，ｙ２）とする。
【００４５】
携帯端末１は、オペレーティングシステムを起動していない場合、電源ボタン１２１０に対するユーザ操作によってスイッチ１２２０がオン状態となり、かつ当該ユーザ操作が開始されてからの領域９２２の静電容量の変化量が閾値Ｃｔｈ以上であることを条件に、オペレーティングシステムを起動する。つまり、携帯端末１は、電源ボタン１２１０が図３に示した第１の位置から図４に示した第２の位置に移動したことに加えて、領域９２２の静電容量の変化量が閾値Ｃｔｈ以上となっている場合に、オペレーティングシステムを起動する。
【００４６】
より詳しくは、スイッチ１２２０がオン状態となったことと、ユーザ操作が開始されてからの領域９２２の静電容量の変化量が閾値Ｃｔｈ以上であることとに加えて、以下の２つの条件が満たされたときに、携帯端末１は、オペレーティングシステムを起動する。１つ目の条件は、突起部１２１１の位置が、電源ボタン１２１０が第２の位置にあるときのタッチパネル１０９２に対する突起部１２１１の位置である位置Ｒ（ｘ１，ｙ２）となったことである。２つ目の条件は、ユーザ操作が開始されてからのタッチパネル１０９２に対する突起部１２１１の位置の変化量が予め定められた範囲内の値となったことである。なお、予め定められた範囲としては、Ｌ１−αＬ１以上であって、Ｌ１＋αＬ１以下とすることができる。このとき、αの値としては、１よりも十分小さい値であって、かつ０．１、０．２等の０に近い値とすることができる。
【００４７】
また、携帯端末１は、オペレーティングシステムが既に起動している場合には、電源ボタン１２１０に対するユーザ操作によってスイッチ１２２０が再度オン状態となり、かつ当該ユーザ操作が開始されてからの領域９２２の静電容量の変化量が閾値Ｃｔｈ以上であることを条件に、オペレーティングシステムを停止する。つまり、携帯端末１は、電源ボタン１２１０が図３に示した第１の位置から図４に示した第２の位置に再度移動したことに加えて、領域９２２の静電容量の変化量が閾値Ｃｔｈ以上となっている場合に、起動しているオペレーティングシステムを停止する。
【００４８】
より詳しくは、スイッチ１２２０がオン状態となったことと、ユーザ操作が開始されてからの領域９２２の静電容量の変化量が閾値Ｃｔｈ以上であることとに加えて、上述した１つ目の条件と２つ目の条件とが満たされたときに、携帯端末１は、起動しているオペレーティングシステムを停止する。
【００４９】
以上のように、携帯端末１は、ユーザが指をタッチパネルの法線方向に移動させることなく、オペレーティングシステムを起動または停止させることが可能となる。特に、スイッチ１２２０の接点の導通および領域９２２の静電容量の閾値Ｃｔｈ以上の変化に加えて、突起部１２１１の位置および突起部１２１１の位置の変化量（移動距離）を利用することにより、スイッチ１２２０の接点の導通および領域９２２の静電容量の閾値Ｃｔｈ以上の変化だけで判定する構成に比べて、誤操作によるものか正しい操作によるものかの判定の精度を高めることができる。
【００５０】
＜Ｄ．機能的構成＞
図５は、携帯端末１の機能的構成を説明するための機能ブロック図である。図５を参照して、携帯端末１は、制御部５００と、タッチパネル１０９２と、ＲＯＭ１０６と、フラッシュメモリ１０８とを備える。制御部５００は、変化量検出部５１０と、位置検出部５２０と、移動量算出部５３０と、処理実行部５４０とを含む。処理実行部５４０は、変化量判定部５４１と、位置判定部５４２と、移動量判定部５４３と、スイッチ状態判定部５４４とを有する。制御部５００における各部の処理は、ＣＰＵ１０５が各種のプログラムを実行することにより実現される。なお、これらの処理を、ハードウェアにより実現してもよい。
【００５１】
ＲＯＭ１０６には、上述したようにブートプログラムが格納されている。当該ブートプログラムは、静電容量に関する閾値Ｃｔｈ、位置Ｑ，Ｒの座標値（Ｑ（ｘ１，ｙ１），Ｒ（ｘ１，ｙ２））、および、移動量に関する予め定められた範囲（Ｌ１−αＬ１≦Ｌ≦Ｌ１＋αＬ１）を表したデータといった各種データを含む。フラッシュメモリ１０８は、上述したように、オペレーティングシステム、各種のアプリケーションプログラムを格納している。以下、制御部５００の各部の処理について説明する。
【００５２】
変化量検出部５１０は、タッチパネル１０９２における静電容量の変化を検出する。具体的には、変化量検出部５１０は、少なくとも、タッチパネル１０９２における領域９２１と領域９２２とにおける静電容量の変化を検出する。変化量検出部５１０は、検出した静電容量の変化を、変化量判定部５４１に送る。
【００５３】
位置検出部５２０は、タッチパネル１０９２に対する突起部１２１１の位置を検出する。位置検出部５２０は、検出された位置を移動量算出部と位置判定部５４２とに送る。具体的には、位置検出部５２０は、突起部１２１１の位置をＸ，Ｙ座標系を用いて特定する。位置検出部５２０による位置の特定は、突起部１２１１の移動に伴い、位置Ｑと位置Ｒとの間で連続して行なわれる。位置検出部５２０は、突起部１２１１の位置が変化する度に、突起部１２１１の位置を表した位置情報を、位置判定部５４２および移動量算出部５３０に送る。
【００５４】
移動量算出部５３０は、位置検出部５２０から送られてきた位置情報に基づき、突起部１２１１の位置の変化量（移動量）を算出する。換言すれば、移動量算出部５３０は、電源ボタン１２１０の移動量を算出する。具体的には、移動量算出部５３０は、検出されたＹ座標の最大値と最小値との差を算出する。たとえば、電源ボタン１２１０が、図３に示した第１の位置から、図４に示した第２の位置まで移動した場合には、移動量Ｌは、Ｌ＝ｙ２−ｙ１となる。
【００５５】
変化量判定部５４１は、タッチパネル１０９２における静電容量の変化が、閾値Ｃｔｈ以上か否かを判定する。変化量判定部５４１は、少なくとも、領域９２２における静電容量の変化が閾値Ｃｔｈ以上か否かを判定する。
【００５６】
位置判定部５４２は、突起部１２１１の位置が、電源ボタン１２１０が図４に示した第２の位置にあるときのタッチパネル１０９２に対する突起部１２１１の位置となったか否かを判定する。つまり、位置判定部５４２は、突起部１２１１が、位置Ｑ（ｘ１，ｙ２）に到達したか否かを判定する。
【００５７】
移動量判定部５４３は、ユーザ操作が開始されてからのタッチパネル１０９２に対する突起部１２１１の位置の変化量（移動量）が、予め定められた範囲内（Ｌ１−αＬ１≦Ｌ≦Ｌ１＋αＬ１）の値であるか否かを判定する。
【００５８】
スイッチ状態判定部５４４は、押しボタンスイッチ１２０のスイッチ１２２０がオン状態であるか否かを判定する。
【００５９】
処理実行部５４０は、（i）領域９２２の静電容量の変化量が閾値Ｃｔｈ以上であって、（ii）突起部１２１１が位置Ｒ（ｘ１，ｙ２）であって、（iii）突起部１２１１の移動量が予め定められた範囲内の値であって、かつ（iv）スイッチ１２２０がオン状態であることを条件に、フラッシュメモリ１０８に格納されているオペレーティングシステムを起動する。
【００６０】
＜Ｅ．制御構造＞
図６は、携帯端末１における処理の流れを説明するためのフローチャートである。具体的には、図６は、オペレーティングシステムが停止している状態から、オペレーティングシステムを起動させる際の処理の流れを説明するためのフローチャートである。
【００６１】
図６を参照して、ステップＳ２において、携帯端末１のＣＰＵ１０５は、タッチパネル１０９２の領域９２１における静電容量が変化したか否かを判断する。ＣＰＵ１０５は、静電容量が変化していないと判断した場合（ステップＳ２においてＮＯ）、待受け状態に戻り、ステップＳ２の判定を行う。ＣＰＵ１０５は、静電容量が変化したと判断した場合（ステップＳ２においてＹＥＳ）、ステップＳ４において、タイマ１１７による経過時間の計測を開始する。ステップＳ６において、ＣＰＵ１０５は、領域９２１における静電容量が変化したときの領域９２２における静電容量を基準値Ｃｏとして、メモリ（ＲＡＭ１０７）に記憶する。
【００６２】
ステップＳ８において、ＣＰＵ１０５は、領域９２２における静電容量が基準値Ｃｏから閾値Ｃｔｈ以上変化したか否かを判断する。ＣＰＵ１０５は、閾値Ｃｔｈ以上変化したと判断した場合（ステップＳ８においてＹＥＳ）、処理をステップＳ１０に進める。ＣＰＵ１０５は、閾値Ｃｔｈ以上変化していないと判断した場合（ステップＳ８においてＮＯ）、ステップＳ２０において、ＣＰＵ１０５は、タイムアウトとなったか否かを判断する。すなわち、ステップＳ２０において、ＣＰＵ１０５は、タイマ１１７による計測を開始してから、予め定められた時間が経過したか否かを判断する。ＣＰＵ１０５は、タイムアウトとなっていないと判断した場合（ステップＳ２０においてＮＯ）、処理をステップＳ８に進める。ＣＰＵ１０５は、タイムアウトになったと判断した場合（ステップＳ２０においてＹＥＳ）、ステップＳ２６において、押しボタンスイッチ１２０に対する操作が誤操作である判断する。その後、ＣＰＵ１０５は、オペレーティングシステムを起動することなく、待ち受け状態を維持する。
【００６３】
ステップＳ１０において、ＣＰＵ１０５は、タッチパネル１０９２において位置Ｒ（ｘ１，ｙ２）が検出されたか否かを判断する。ＣＰＵ１０５は、位置Ｒを検出したと判断した場合（ステップＳ１０においてＹＥＳ）、処理をステップＳ１２に進める。ＣＰＵ１０５は、位置Ｒを検出していないと判断した場合（ステップＳ１０においてＮＯ）、ステップＳ２２において、タイムアウトとなったか否かを判断する。ＣＰＵ１０５は、タイムアウトとなっていないと判断した場合（ステップＳ２２においてＮＯ）、処理をステップＳ１０に進める。ＣＰＵ１０５は、タイムアウトになったと判断した場合（ステップＳ２２においてＹＥＳ）、処理をステップＳ２６に進める。
【００６４】
ステップＳ１２において、ＣＰＵ１０５は、タッチパネル１０９２を用いて検出された突起部１２１１の移動量が、予め定められた範囲内の値であるか否かを判断する。ＣＰＵ１０５は、予め定められた範囲の値であると判断した場合（ステップＳ１２においてＹＥＳ）、処理をステップＳ１４に進める。ＣＰＵ１０５は、予め定められた範囲内の値でないと判断した場合（ステップＳ１２においてＮＯ）、ステップＳ２４において、タイムアウトとなったか否かを判断する。ＣＰＵ１０５は、タイムアウトとなっていないと判断した場合（ステップＳ２４においてＮＯ）、処理をステップＳ１２に進める。ＣＰＵ１０５は、タイムアウトになったと判断した場合（ステップＳ２４においてＹＥＳ）、処理をステップＳ２６に進める。
【００６５】
ステップＳ１４において、ＣＰＵ１０５は、スイッチ１２２０がオン状態であるか否かを判断する。ＣＰＵ１０５は、オン状態であると判断した場合（ステップＳ１４においてＹＥＳ）、ステップＳ１６において、押しボタンスイッチ１２０に対する操作が正しい操作である判断する。その後、ステップＳ１８において、ＣＰＵ１０５は、オペレーティングシステムを起動する。これにより、一連の処理を終了する。ＣＰＵ１０５は、オフ状態であると判断した場合（ステップＳ１４においてＮＯ）、処理をステップＳ２８に進める。
【００６６】
＜Ｆ．変形例＞
（１）上記では、携帯端末１が、スイッチ１２２０の接点の導通以外に、領域９２２の静電容量の変化、突起部１２１１の位置、および突起部１２１１の位置の変化量（移動距離）の４つを利用した構成を例に挙げて説明したが、これに限定されるものではない。少なくとも、スイッチ１２２０の接点の導通と、領域９２２の静電容量の閾値Ｃｔｈ以上の変化とに基づき、オペレーティングシステムを起動または停止する構成であればよい。
【００６７】
（２）電源ボタン１２１０の表面のうち、ユーザが接触する表面および突起部１２１１の表面を除いた領域とを、絶縁部材で被覆しておくことが、精度の高い検出を行なう観点から好ましい。
【００６８】
（３）携帯端末１において、図３に示すように電源ボタン１２１０が第１の位置にあるときに、突起部１２１１がタッチパネル１０９２と対向しない位置となるように、突起部１２１１の位置および領域９２２の位置を設定してもよい。当該構成の場合には、ユーザが指７００で電源ボタン１２１０に触れただけでタッチパネル１０９２の領域９２１の静電容量が変化することは殆どない。
【００６９】
（４）また、携帯端末１を以下のように構成してもよい。上記においては、ＣＰＵ１０５が、領域９２２における静電容量が基準値Ｃｏから閾値Ｃｔｈ以上変化したか否かを判断した。しかしながら、これに限定されるものではなく、基準値Ｃｏを利用しない構成であってもよい。
【００７０】
すなわち、（i）予め定められた領域９２２の静電容量が閾値以上となったか否かを検出し、（ii）押しボタンスイッチ１２０に対するユーザ操作によってスイッチ１２２０がオン状態となり、かつ予め定められた領域９２２の静電容量が閾値Ｃｔｈ以上となったことを条件に、上記予め定められた処理を実行するように、携帯端末１を構成してもよい。
【００７１】
（５）上記においては、人体の一部として指７００によって電源ボタン１２１０を操作する場合を例に挙げて説明したが、人体であれば指７００に限定されない。
【００７２】
（６）押しボタンスイッチ１１８，１１９といった押しボタンスイッチ１２０以外の押しボタンスイッチについても、押しボタンスイッチ１２０について説明した構成を適用できる。
【００７３】
たとえば、押しボタンスイッチ１１８の場合には、押しボタンスイッチ１１８の音量ボタン対するユーザ操作によって押しボタンスイッチ１１８のスイッチがオン状態となり、かつ当該ユーザ操作が開始されてからの当該領域の静電容量の変化量が閾値以上であることを条件に、音量を増加せるように、携帯端末１を構成すればよい。この場合、携帯端末１は、上述したように、音量ボタンにおける突起部（図示せず）の位置と、当該突起部の移動距離とをさらに考慮して、音量を増加させるか否かを判断してもよい。また、押しボタンスイッチ１１９についても、押しボタンスイッチ１１８と同様の構成とし得る。
【００７４】
今回開示された実施の形態は例示であって、上記内容のみに制限されるものではない。本発明の範囲は特許請求の範囲によって示され、特許請求の範囲と均等の意味および範囲内でのすべての変更が含まれることが意図される。
【符号の説明】
【００７５】
１  携帯端末、１０  筐体、１０５  ＣＰＵ、１０６  ＲＯＭ、１０７  ＲＡＭ、１０８  フラッシュメモリ、１０９  タッチスクリーン、１１３  フロントカバー、１１７  タイマ、１１８，１１９，１２０  ボタンスイッチ、５００  制御部、５１０  変化量検出部、５２０  位置検出部、５３０  移動量算出部、５４０  処理実行部、５４１  変化量判定部、５４２  位置判定部、５４３  移動量判定部、５４４  スイッチ状態判定部、９２１，９２２  領域、１０９１  ディスプレイ、１０９２  タッチパネル、１２１０  電源ボタン、１２１１  突起部、１２２０  スイッチ、１２２１  本体部、１２２２  可動部。
【図１】
2014174667.tif 000003
【図２】
2014174667.tif 000004
【図３】
2014174667.tif 000005
【図４】
2014174667.tif 000006
【図５】
2014174667.tif 000007
【図６】
2014174667.tif 000008